(57)【要約】【課題】タブ中の洗濯水の漏れを防止するドラム洗濯装置に関する。【解決手段】ドラム洗濯装置は、前記タブ内に回転可能に設けられるドラムと、前記ドラムに連結される回転軸と、前記回転軸を回転可能に支持する金属ベアリングハウジングと、前記回転軸を回転させるためのモーターとを含む駆動部と、前記タブ中の洗濯水が、前記タブと対向する前記ベアリングハウジングの面に接触することを防止するための非金属部材と、前記タブ中の洗濯水が前記駆動部側に漏れることを防止し、前記駆動部が前記タブに対して相対的に動くことを許容する柔軟な部材と、を含む。【選択図】図５
2010148957.tif 000002
【特許請求の範囲】
【請求項１】
洗濯水を収容するタブと、
前記タブ内に回転可能に設けられるドラムと、
前記ドラムに連結される回転軸と、前記回転軸を回転可能に支持する金属ベアリングハウジングと、前記回転軸を回転させるためのモーターと、を含む駆動部と、
前記タブ中の洗濯水が、前記タブと対向する前記ベアリングハウジングの面に接触することを防止するための非金属部材と、
前記タブ中の洗濯水が前記駆動部側に漏れることを防止し、前記駆動部が前記タブに対して相対的に動くことを許容する柔軟な部材と、
を含むドラム洗濯装置。
【請求項２】
前記柔軟な部材の一端は、前記非金属部材に連結されることを特徴とする請求項１に記載のドラム洗濯装置。
【請求項３】
前記非金属部材において半径方向に対する外側部分は、ドラムと反対方向に折り曲げられ、前記柔軟な部材は、前記非金属部材の折り曲げられた部分に連結されたことを特徴とする請求項２に記載のドラム洗濯装置。
【請求項４】
前記ベアリングハウジングは、前記柔軟な部材の内径よりもより大きく半径方向に延長形成されたことを特徴とする請求項２に記載のドラム洗濯装置。
【請求項５】
前記柔軟な部材の内周よりも半径方向に対して外側から前記ベアリングハウジングに連結されるサスペンションユニットをさらに含むことを特徴とする請求項４に記載のドラム洗濯装置。
【請求項６】
前記サスペンションユニットは、複数のダンパー及び複数のブラケットを含むことを特徴とする請求項５に記載のドラム洗濯装置。
【請求項７】
前記タブの後面には、タブに対して外側の方向に折り曲げられた縁を有する穴が形成され、前記柔軟な部材の他端は、前記折り曲げられた縁部に連結されることを特徴とする請求項２に記載のドラム洗濯装置。
【請求項８】
前記非金属部材は、前記ドラムの回転方向に対して回転しないように支持されることを特徴とする請求項１に記載のドラム洗濯装置。
【請求項９】
前記非金属部材は、前記ベアリングハウジングに固定されることを特徴とする請求項８に記載のドラム洗濯装置。
【請求項１０】
前記非金属部材は、複数のボルトにより固定されることを特徴とする請求項９に記載のドラム洗濯装置。
【請求項１１】
前記非金属部材の固定点は、前記非金属部材の半径方向幅の中間地点に比べてより半径方向の外側に位置することを特徴とする請求項９に記載のドラム洗濯装置。
【請求項１２】
前記非金属部材には、半径方向または円周方向に複数のリブが形成されたことを特徴とする請求項９に記載のドラム洗濯装置。
【請求項１３】
前記リブは、前記ドラムに対して反対面に形成されたことを特徴とする請求項１２に記載のドラム洗濯装置。
【請求項１４】
前記回転軸は、前記非金属部材を貫通し、前記ドラム洗濯装置は、前記非金属部材と前記回転軸とをシーリングするシーラー(sealer)をさらに含むことを特徴とする請求項１に記載のドラム洗濯装置。
【請求項１５】
前記非金属部材は、半径方向に対して外側部分が内側部分よりも前記ドラムからより離隔するように形成されたことを特徴とする請求項１に記載のドラム洗濯装置。
【請求項１６】
前記モーターは、前記回転軸と直接連結されたことを特徴とする請求項１に記載のドラム洗濯装置。
【請求項１７】
前記柔軟な部材の内径は、前記モーターの外径よりも大きいことを特徴とする請求項１６に記載のドラム洗濯装置。
【請求項１８】
前記ベアリングハウジングは、前記モーターの外径よりもより半径方向の外側に延長形成されたことを特徴とする請求項１６に記載のドラム洗濯装置。
【請求項１９】
前記非金属部材は、一部分が前記タブの内部に位置することを特徴とする請求項１６に記載のドラム洗濯装置。
【請求項２０】
前記タブは、前記ドラムに比べてより強固に支持されることを特徴とする請求項１に記載のドラム洗濯装置。
【請求項２１】
前記タブの前面壁は、キャビネットに固定されることを特徴とする請求項２０に記載のドラム洗濯装置。
【請求項２２】
洗濯水を収容するタブと、
前記タブ内に回転可能に設けられるドラムと、
前記ドラムに連結される回転軸と、前記回転軸を回転可能に支持するベアリングハウジングと、前記回転軸を回転させるためのモーターと、を含む駆動部と、
前記タブ中の洗濯水が前記駆動部側に漏れることを防止し、前記駆動部が前記タブに対して相対的に動くことを許容する柔軟な部材と、
を含み、
前記ベアリングハウジングは、金属からなり、前記タブの内部と対向する面が非金属部材によりカバーされることを特徴とするドラム洗濯装置。
【発明の詳細な説明】
【技術分野】
【０００１】
本発明は、ドラム洗濯機に関し、より詳細には、キャビネットの内側にタブが直接連設され、タブの内側に設けられたドラムとこのドラムを回動させるモーターがサスペンションによってキャビネット内に支持されるように構成されたドラム洗濯機及びそのベアリングハウジング構造に関する。
【背景技術】
【０００２】
一般に、ドラム洗濯機は、図１に示すように、前面にドア２が設けられた四角ボックスのキャビネット１と、前記キャビネット１の内側に水平方向に設けられ、洗濯水が貯蔵されるタブ３と、前記タブ３を前記キャビネット１の内側に緩衝可能に支持するバネ５およびダンパー６と、前記タブ３の内側に回転可能に設けられ、洗濯物の洗浄が行われるドラム８と、前記タブ３の後方に設けられ、前記ドラム８を回動させるモーター１０と、を備えている。
【０００３】
図１において、符号２１は、キャビネットとタブとの間へ洗濯水が漏れることを防止するガスケットであり、符号２３及び２５はそれぞれ、給水装置および排水装置である。
【０００４】
図２は、図１の‘Ａ’部分を示す一部切欠き斜視図であって、前記ドラム８とタブ３の後部にモーター１０が設けられた構造を示している。
【０００５】
前記モーター１０と前記ドラム８との間には、回転動力を伝達する回転軸１２が連結され、また、前記ドラム８の後面には、前記回転軸１２が連結されるようにハブ１３が設けられている。
【０００６】
前記タブ３の後面には、前記回転軸１２が貫通するベアリングハウジング１４が設けられ、前記ベアリングハウジング１４には、前記回転軸１２を支持するベアリング１５が取り付けられている。
【０００７】
ここで、前記ベアリングハウジング１４は、前記回転軸１２を支持する剛性を十分に維持するために、スチールまたはアルミニウムの材料で構成されており、前記タブ３を射出する際にインサート射出成形法によってタブ３の後面に固設されるようになる。また、前記ベアリング１５は、前記ベアリングハウジング１４に押し込まれて固定される。
【０００８】
また、前記モーター１０は、中央にステータ１０Ｓが設けられ、外郭にローター１０Ｒが設けられる回転型モーターであって、前記ステータ１０Ｓは、ボルト１７によってベアリングハウジング１４に締付固定され、前記ローター１０Ｒは、前記回転軸１２の端部に固定されている。
【０００９】
しかしながら、このような従来のドラム洗濯機は、ドラム８とモーター１０がタブ３に支持され、このタブ３がバネ５およびダンパー６によってキャビネット１の内部に支持されるので、キャビネット１とタブ３との間には一定の間隔が必要となり、これによって、一定の大きさのキャビネット１の中で洗濯が行われるドラム８の大きさを拡大するのには限界があるという問題があった。
【００１０】
また、このような従来のドラム洗濯機は、ドラム８、ベアリング１５及びモーター１０がタブ３と共に振動し、その分ベアリングの反力が増加するので、このベアリング１５をタブ３に堅固に固定するために、金属材からなるベアリングハウジング１４をタブ３にインサート射出方式で固定するようになる。
【００１１】
しかしながら、洗濯機の容量が変わると、タブ３やベアリングハウジング１４の大きさも異なるので、タブ３やベアリングハウジング１４を共用として使用できず、これによって、タブ３やベアリングハウジング１４を容量に応じて別途に製作しなければならないという問題があった。
【先行技術文献】
【特許文献】
【００１２】
【特許文献１】追完
【発明の概要】
【発明が解決しようとする課題】
【００１３】
本発明は、上述の問題点に鑑みてなされたもので、その目的は、タブをキャビネットに直接連設し、ドラムとモーターのような振動要素をサスペンションによってキャビネットに直接支持させることにより、キャビネットとタブとの間に別途の遊隔空間が必要とならず、洗濯容量を決定するドラムの大きさを最大限大きくすることができるドラム洗濯機を提供することにある。
【００１４】
また、本発明の他の目的は、ベアリングハウジングをタブにインサートして固定せず、分離された構造として設置することにより、タブとベアリングハウジングのいずれか一方の部品に問題が生じた場合、問題の部品のみを容易に修理または交替することができ、また、洗濯機の容量が変わっても、タブとベアリングハウジングのうち容量に合わないもののみを選択的に交換することができるので、部品の共用化が可能になるドラム洗濯機及びそのベアリングハウジング構造を提供することにある。
【課題を解決するための手段】
【００１５】
本発明の一側面によれば、ドラム洗濯装置は、洗濯水を収容するタブと、前記タブ内に回転可能に設けられるドラムと、前記ドラムに連結される回転軸と、前記回転軸を回転可能に支持する金属ベアリングハウジングと、前記回転軸を回転させるためのモーターと、を含む駆動部と、前記タブ中の洗濯水が、前記タブと対向する前記ベアリングハウジングの面に接触することを防止するための非金属部材と、前記タブ中の洗濯水が前記駆動部側に漏れることを防止し、前記駆動部が前記タブに対して相対的に動くことを許容する柔軟な部材と、を含むことを特徴とする。
【００１６】
本発明の他の側面によれば、ドラム洗濯装置は、洗濯水を収容するタブと、前記タブ内に回転可能に設けられるドラムと、前記ドラムに連結される回転軸と、前記回転軸を回転可能に支持するベアリングハウジングと、前記回転軸を回転させるためのモーターと、を含む駆動部と、前記タブ中の洗濯水が前記駆動部側に漏れることを防止し、前記駆動部が前記タブに対して相対的に動くことを許容する柔軟な部材と、を含み、前記ベアリングハウジングは、金属からなり、前記タブの内部と対向する面が非金属部材によりカバーされることを特徴とする。
【００１７】
好適形態によれば、前記柔軟な部材の一端は、前記非金属部材に連結されてよい。前記非金属部材において半径方向に対する外側部分は、ドラムと反対方向に折り曲げられ、前記柔軟な部材は、前記非金属部材の折り曲げられた部分に連結されてよい。
好適形態によれば、前記ベアリングハウジングは、前記柔軟な部材の内径よりもより大きく半径方向に延長形成されてよい。好適形態によれば、前記柔軟な部材の内周よりも半径方向に対して外側から前記ベアリングハウジングに連結されるサスペンションユニットをさらに含んでよい。前記サスペンションユニットは、複数のダンパー及び複数のブラケットを含んでよい。
好適形態によれば、前記タブの後面上は、タブに対して外側の方向に折り曲げられた縁を有する穴が形成され、前記柔軟な部材の他端は、前記折り曲げられた縁部に連結される。
好適形態によれば、前記非金属部材は、前記ドラムの回転方向に対して回転しないように支持される。前記非金属部材は、前記ベアリングハウジングに固定されてよい。前記非金属部材は、複数のボルトにより固定されてよい。前記非金属部材の固定点は、前記非金属部材の半径方向幅の中間地点に比べてより半径方向の外側に位置してよい。前記非金属部材には、半径方向または円周方向に複数のリブが形成されてよい。前記リブは、前記ドラムに対して反対面に形成されてよい。
好適形態によれば、前記回転軸は、前記非金属部材を貫通し、前記ドラム洗濯装置は、前記非金属部材と前記回転軸とをシーリングするシーラー(sealer)をさらに含む。
好適形態によれば、前記非金属部材は、半径方向に対して外側部分が内側部分よりも前記ドラムからより離隔するように形成されてよい。
好適形態によれば、前記モーターは、前記回転軸と直接連結されてよい。前記柔軟な部材の内径は、前記モーターの外径よりも大きくてよい。前記ベアリングハウジングは、前記モーターの外径よりもより半径方向の外側に延長形成されてよい。
好適形態によれば、前記非金属部材は、一部分が前記タブの内部に位置する。前記タブは、前記ドラムに比べてより強固に支持されてよい。前記タブの前面壁は、キャビネットに固定されてよい。
【００１８】
本発明の更に他の側面によれば、キャビネットの内部に設けられるタブと、前記タブの内部に設けられ、洗濯が行われるドラムと、前記タブの後方に設けられ、前記ドラムを回転させるモーターと、前記ドラムとモーターとの間に設けられ、前記ドラムとモーターとの間に連結された回転軸を支持するベアリングが収納されたベアリングハウジングと、前記ベアリングハウジングと前記キャビネットとの間に連結され、前記ドラムの回動時に発生する振動を緩和させるサスペンションと、前記ベアリングハウジングの前方に設けられ、前記タブの後面を構成するブラケットと、前記ブラケットと前記タブとの間に設けられ、前記タブの内部をシールするとともに、前記ブラケットからタブに伝達される振動を遮断するガスケットと、を含むことを特徴とするドラム洗濯機が提供される。
【００１９】
また、前記タブは、その前面が前記キャビネットの内側面に取り付けられて固定されることが好ましい。
また、前記ベアリングハウジングは、前記ブラケットが固定される主ベアリングハウジングと、前記主ベアリングハウジングの後方に設けられ、前記モーターのステータが固定される副ベアリングハウジングと、から構成されることが好ましい。
また、前記主ベアリングハウジングと副ベアリングハウジングは、前記回転軸が貫通する中心部が一定間隔を離隔して相互に反対方向に凸状に形成されることが好ましい。
また、前記主ベアリングハウジングと副ベアリングハウジングは、金属板材をプレス加工して形成することが好ましい。
【００２０】
また、前記主ベアリングハウジングは、前記回転軸が貫通する部分を中心にして、上方は半円状の構造に形成され、下方は四角形状の構造に形成されることが好ましい。
【００２１】
また、前記副ベアリングハウジングは、円形状の構造に形成されることが好ましい。
【００２２】
また、前記サスペンションは、前記主ベアリングハウジングに連結されることが好ましい。
【００２３】
また、前記ブラケットの中央部には、前記回転軸との間へ洗濯水が漏れることを防止するシール部材が設けられることが好ましい。
【００２４】
本発明の他の側面によれば、タブを貫通し、ドラムとこれを駆動するモーターを連結した回転軸と、前記タブの後面を構成する部分に固定され、前記回転軸を支持する主ベアリングハウジングと、前記主ベアリングハウジングの後方に設けられて前記回転軸を支持し、後面には、前記モーターのステータが固定された副ベアリングハウジングと、を含むことを特徴とするドラム洗濯機のベアリングハウジング構造が提供される。
【００２５】
また、前記主ベアリングハウジングと副ベアリングハウジングは、前記回転軸が貫通する中心部が一定間隔を離隔して相互に反対方向に凸状に形成されることが好ましい。
【００２６】
また、前記主ベアリングハウジングと副ベアリングハウジングは、金属板材をプレス加工して形成することが好ましい。
【００２７】
また、前記ベアリングハウジングは、前記ドラムの回動時に発生する振動を緩和させるように、サスペンションによって洗濯機の外観をなすキャビネットに支持されることが好ましい。
【発明の効果】
【００２８】
本発明によれば、タブがキャビネットに直接設置され、かつドラムとモーターのような振動要素は、サスペンションによってキャビネットに支持されるので、キャビネットの容量を増加させることなく、キャビネット内に設置されるタブおよびドラムの容量を容易に増加させることができる。
【００２９】
また、ベアリングハウジングがタブにインサート方式で固定されず、分離されているので、タブとベアリングハウジングのいずれか一方の部品に問題が生じた場合、問題の部品のみを容易に修理または交換することができ、さらに、洗濯機の容量が変わっても、タブとベアリングのうち容量に合わないもののみを選択的に交換することができるので、部品の共用化が可能になる。
【図面の簡単な説明】
【００３０】
【図１】従来のドラム洗濯機の内部構造を示す縦断面図である。
【図２】図１の‘Ａ’部分を示す一部切欠き斜視図である。
【図３】本発明によるドラム洗濯機の内部構造を示す縦断面図である。
【図４】本発明によるドラム洗濯機の主要部分を示す一部切欠き斜視図である。
【図５】本発明によるドラム洗濯機の主要部分を示す分解斜視図である。
【図６】本発明によるドラム洗濯機に設けられるベアリングハウジングを示す背面図である。
【発明を実施するための形態】
【００３１】
以下、本発明の好ましい実施形態を、添付図面に基づき詳細に説明する。
本発明によるドラム洗濯機の実施形態としては、様々のものがあり得るが、以下では、最も好ましい実施形態について説明する。
【００３２】
図３乃至図６は、本発明によるドラム洗濯機を示す図であって、図３は内部構造を示す縦断面図であり、図４は要部を示す一部切欠き斜視図であり、図５は要部を示す分解斜視図であり、図６はベアリングハウジングを示す背面図である。
【００３３】
本発明によるドラム洗濯機は、図３に示すように、四角ボックスのキャビネット５０の内部に、洗濯水が貯水されるタブ５５が直接連結または取付設置されている。即ち、一般の洗濯機では、タブがバネまたはダンパーによってキャビネットに連結されるが、本発明による洗濯機では、タブ５５が別途のダンパー手段を介さずに、キャビネット５０に直接固定された構造で設けられている。
【００３４】
このように前記タブ５５がキャビネット５０に直接設置されることによって、洗濯物の洗浄が行われるドラム６０と、このドラム６０を回転させるモーター６６のような振動要素は、サスペンション９０によって前記キャビネット５０の内部に支持され、前記ドラム６０の回動時に発生する振動を緩和させるように構成される。
【００３５】
さらに、前記ドラム６０は、前記モーター６６へ回転軸６９により連結されて回転するので、前記ドラム６０とモーター６６との間には、前記回転軸６９を支持するベアリング７１、７２が収納されたベアリングハウジング７５が設けられ、このベアリングハウジング７５に前記サスペンション９０が連結されることにより、前記ドラム６０とモーター６６のような振動要素が前記ベアリングハウジング７５によってキャビネット５０の内部に支持される。
【００３６】
また、前記ベアリングハウジング７５の前方には、タブ５５の後面を構成するブラケット８０が設けられ、前記ブラケット８０とタブ５５の後部との間には、前記振動要素からタブ５５の方へ伝達される振動が遮断されるとともに、タブ５５の内部に貯水された水が外部に漏れないようにするガスケット８５が設けられている。
【００３７】
以下、このように構成される本発明によるドラム洗濯機における主要構成部分について詳しく説明する。
【００３８】
前記キャビネット５０は、一般の洗濯機のように四角筒状に形成されることが好ましく、前面には、前記タブ５５の内部を開閉させるドア５２が設けられている。
【００３９】
前記タブ５５は、前記キャビネット５０の前面に直接固設されるタブ本体５６と、前記タブ本体５６の後方に結合され、中央部分に前記ブラケット８０とガスケット８５が設けられるようにリング状に形成されたタブカバー５７と、を備えている。
【００４０】
前記ドラム６０は、その後部が前記回転軸６９に連結され支持されており、このため、後面に前記回転軸６９が連結されるハブ６５が設けられている。また、前記ドラム６０の内側面には、ドラム内に洗濯物を押し上げた後に落下させる複数個のリフト６３が設けられている。さらに、前記ドラム６０の前面と後面には、ドラムの回動時にバランス作用を果たすバランサ６１、６２が設けられている。
【００４１】
前記モーター６６は、回転型モーターで構成され、前記ベアリングハウジング７５の後方に設けられており、ステータ６７は、ボルトによって前記ベアリンクハウジング７５に締付固定され、ローター６８は、ボルトによって前記回転軸６９に締付固定されている。
【００４２】
さらに、前記ベアリングハウジング７５は、図５に示すように、前記ブラケット８０が固定される主ベアリングハウジング７６と、該主ベアリングハウジング７６よりも相対的に小さく形成され、前記主ベアリングハウジング７６の後方にボルトで締め付けられ、前記モーター６６が固定される副ベアリングハウジング７８と、を備えている。
【００４３】
ここで、前記主ベアリングハウジング７６は、前記回転軸６９が貫通する部分を中心にして、上方は半円状の構造に形成され、下方は前記サスペンション９０のダンパーブラケット９１、９２が連結されるように四角形状の構造に形成されている。
【００４４】
前記副ベアリングハウジング７８は、前記モーターのステータ６７と同じような大きさの円形状の構造に形成されている。
【００４５】
前記主ベアリングハウジング７６と副ベアリングハウジング７８は、その間に一定の空間部を有して、相互に反対方向に凸状に形成されている。従って、前記ベアリングハウジング７６、７８において、前記回転軸６９が貫通する中心部が一定間隔だけ離隔して位置することによって、前記ベアリングハウジング７６、７８の中心部にそれぞれ押し込まれる２つのベアリング７１、７２が一定間隔だけ離れた状態で固定される。また、前記各ベアリングハウジング７６、７８の凸部７６ａ、７８ａには、前記ブラケット８０と前記モーター６６のステータ６７がそれぞれ密着してボルトで締付固定されている。
【００４６】
このようなベアリングハウジング７５は、スチール材料のプレートをプレスを用いて、前記凸部７６ａ、７８ａを引抜加工して形成することが好ましい。
【００４７】
次に、前記ブラケット８０は、錆び付きにくい合成樹脂材で形成され、前記ベアリングハウジング７５の前方からベアリングハウジングへ水分が流入することを防止するものであって、中央部には、前記回転軸６９との間へ洗濯水が漏れることを防止するためにシール部材であるウォーターシール８３が設けられている。
【００４８】
このような前記ブラケット８０は、強度補強のために放射状または格子状の複数のリブ８１が設けられ、前記リブ８１の間には、前記ベアリングハウジング７５にボルトで締め付けるためのボルト孔８２が設けられている。
【００４９】
図６において、符号７５ａは、前記主ベアリングハウジング７６と副ベアリングハウジング７８のボルト孔において、ブラケット８０のボルト孔８２に連通してボルトが締め付けられるボルト孔であり、符号７５ｂは、ステータがボルトで締め付けられるボルト孔であり、符号７５ｃは、ダンパーブラケット９１、９２が締め付けられるボルト孔である。
【００５０】
また、前記サスペンション９０は、前記主ベアリングハウジング７６に連結されたダンパーブラケット９１、９２と、キャビネット５０の底面に連結されたダンパー９３、９５と、からなり、図３において中央には主ダンパー９３が傾斜して位置し、また、この主ダンパー９３の両方には副ダンパー９５が垂直方向に位置しているので、振動要素から発生する振動を吸収するようになる。
【００５１】
次に、上述した本発明によるドラム洗濯機の作用について説明する。
本発明において、タブ５５が前記キャビネット５０に直接設置されることにより、同一の体積を有するキャビネット５０の内部に設けられるタブ５５の大きさを大きくすることができるようになる。このため、前記タブ５５の内部に設けられるドラム６０の大きさも相対的に大きくすることができるので、キャビネット５０の大きさを大きくしなくても、全体的に洗濯機の洗濯容量を増加させることができる。
【００５２】
また、以下では、前記ベアリングハウジング７５を中心にした組立過程と作用について説明する。
先ず、ベアリング７１、７２が取り付けられた主ベアリングハウジング７６と副ベアリングハウジング７８を対向させてボルトで締め付ける。
【００５３】
このように組み立てられた前記主ベアリングハウジング７６の前方には、ウォーターシール８３が取り付けられたブラケット８０がボルトで締め付けられ、また、前記副ベアリングハウジングの後方には、モーター６６のステータ６７がボルトで締め付けられている。
【００５４】
このようにブラケット８０、ベアリングハウジング７５、ステータ６７が組み立てられた状態で、ドラム６０のハブ６２に連結された回転軸６９を、ブラケット８０のウォーターシール８３、ベアリングハウジング７５のベアリング７１、７２、ステータ６７に挿通させ、挿通した回転軸６９の端部にローター６８を取り付ける。
【００５５】
また、前記ベアリングハウジング７５にサスペンション９０を連結した後、前記ドラム６０をキャビネット５０の内部に直接固定されたタブ５５の後方から挿入し、前記サスペンション９０をキャビネット５０の底面に固定させると、前記ドラム６０とセットをなすブラケット８０、ベアリングハウジング７５、モーター６６がキャビネット５０の内部に組み立てられるようになる。
【００５６】
その後、前記タブ５５とブラケット８０との間にガスケット８５を連結すると、洗濯機の主要部分の組立てが完了する。
このように組み立てられた本発明によるドラム洗濯機は、ベアリングハウジング７５が、前記タブ５５にインサート射出成形法によって設けられるものでなく、別途の部品に分離されて構成されるので、タブ５５を含む洗濯機の容量が変わっても共用として用いることができる。
【００５７】
また、前記ブラケット８０をプラスチック材料を含む合成樹脂材で製作し、金属材からなるべアリングハウジング７５の前方に設けて、ガスケット８５とともにタブ５５の後面を構成するので、長間使用しても水分により腐食しにくく、中央部にウォーターシール８３が取り付けられて水分が漏れることを防止することにより、ベアリング７１、７２とベアリングハウジング７５が損傷することを防止することができる。
【符号の説明】
【００５８】
５０    キャビネット
５２    ドア
５５    タブ
６０    ドラム
６１、６２    バランサ
６３    リフト
６５    ハブ
６６    モーター
６９    回転軸
７１、７２    ベアリング
７５    ベアリングハウジング
７６    主ベアリングハウジング
７８    副ベアリングハウジング
８０    ブラケット
８１    リブ
８２    ボルト孔
８３    ウォーターシール
８５    ガスケット
９０    サスペンション
９１、９２    ダンパーブラケット
９３、９５    ダンパー
【図１】
2010148957.tif 000003
【図２】
2010148957.tif 000004
【図３】
2010148957.tif 000005
【図４】
2010148957.tif 000006
【図５】
2010148957.tif 000007
【図６】
2010148957.tif 000008